(57)【要約】【課題】  深視力を含む視機能を検査することのできる検査装置を提供する。【解決手段】  第１の検査として、特徴部と所定の厚みとを有する視標を、被験者の視線方向に対して奥から手前に又は手前から奥に、特徴部が被験者の視線方向の垂直面に対して一定の角度を成したまま移動するように表示する。また、第２の検査として、第１の視標の位置を固定し、第２の視標を、被験者の視線方向に対して奥から手前に又は手前から奥に移動するように表示する。【選択図】  図１
2013208190.tif 000002
【特許請求の範囲】
【請求項１】
視機能検査装置であって、
表示部と、
制御部と、を有し、
前記表示部は、
被験者の右目に提供する画像である右目用画像と、該被験者の左目に提供する画像である左目用画像とを表示し、
前記右目から前記左目用画像を遮蔽し、前記左目から前記右目用画像を遮蔽する遮蔽部を有し、
前記制御部は、
前記右目用画像及び前記左目用画像から成り、特徴部と、所定の厚みとを有する前記視標を、前記被験者の視線方向に対して奥から手前に又は手前から奥に、前記特徴部が前記被験者の視線方向の垂直面に対して一定の角度を成したまま移動するように、前記表示部に表示すること
を特徴とする視機能検査装置。
【請求項２】
視機能検査装置であって、
前記制御部は、
前記右目用画像及び前記左目用画像から成る第１の視標と、第２の視標とを表示し、
前記第１の視標の位置を固定し、前記第２の視標を、前記被験者の視線方向に対して奥から手前に又は手前から奥に移動するように、前記表示部に表示すること
を特徴とする視機能検査装置。
【請求項３】
請求項２記載の視機能検査装置であって、
前記制御部は、前記第１の視標及び前記第２の視標の各々を、所定色及びテクスチャのうち少なくとも一方で表示すること
を特徴とする視機能検査装置。
【請求項４】
請求項１乃至３のうちいずれか１つに記載の視機能検査装置であって、
前記制御部は、前記視標を、前記特徴部の部分においては厚みが無いように表示すること
を特徴とする視機能検査装置。
【請求項５】
視機能検査装置であって、
表示部と、
制御部と、を有し、
前記表示部は、
被験者の右目に提供する画像である右目用画像と、該被験者の左目に提供する画像である左目用画像とを表示し、
前記右目から前記左目用画像を遮蔽し、前記左目から前記右目用画像を遮蔽する遮蔽部を有し、
前記制御部は、
前記右目用画像及び前記左目用画像から成る第１の視標と、第２の視標とを表示し、
前記第１の視標の位置を固定し、前記第２の視標を、前記被験者の視線方向に対して奥から手前に又は手前から奥に移動するように、前記表示部に表示すること
を特徴とする視機能検査装置。
【請求項６】
視機能検査装置による検査方法であって、
前記視機能検査装置は、
被験者の右目に提供する画像である右目用画像と、該被験者の左目に提供する画像である左目用画像とを表示し、
前記右目から前記左目用画像を遮蔽し、前記左目から前記右目用画像を遮蔽する遮蔽部を有する表示部と、制御部と、を有し、
前記制御部が、
前記右目用画像及び前記左目用画像から成り、特徴部と、所定の厚みとを有する前記視標を、前記被験者の視線方向に対して奥から手前に又は手前から奥に、前記特徴部が前記被験者の視線方向の垂直面に対して一定の角度を成したまま移動するように、前記表示部に表示するステップ、から構成されること
を特徴とする検査方法。
【発明の詳細な説明】
【技術分野】
【０００１】
本発明は、被験者の視機能を検査する検査装置に関するものである。
【背景技術】
【０００２】
被験者の深視力の検査として、例えば特許文献１に記載の、三桿試験のような検査方法がある。
【先行技術文献】
【特許文献】
【０００３】
【特許文献１】特開２０１２−１０７４３号公報
【発明の概要】
【発明が解決しようとする課題】
【０００４】
深視力は複数の要素が関係するものであり、立体視能や遠近感覚だけでなく、例えば、遠視・近視・乱視等の屈折状態や、斜視等の眼位等とも関連する。従来の深視力検査では、立体視能や遠近感覚、遠視・近視・乱視、斜視等をそれぞれ検査するものであり、これら複数の要素を総合した深視力を検査することができない。
【０００５】
本発明はこのような事情に鑑みてなされたもので、複数の要素を総合した視機能、特に、深視力を含む視機能を検査することのできる検査装置を提供することを目的とする。
【課題を解決するための手段】
【０００６】
本発明は上記の目的を達成するためになされたもので、例えば、視機能検査装置であって、表示部と、制御部と、を有し、前記表示部は、被験者の右目に提供する画像である右目用画像と、該被験者の左目に提供する画像である左目用画像とを表示し、前記右目から前記左目用画像を遮蔽し、前記左目から前記右目用画像を遮蔽する遮蔽部を有し、前記制御部は、前記右目用画像及び前記左目用画像から成り、特徴部と、所定の厚みとを有する前記視標を、前記被験者の視線方向に対して奥から手前に又は手前から奥に、前記特徴部が前記被験者の視線方向の垂直面に対して一定の角度を成したまま移動するように、前記表示部に表示することを特徴とする。
【０００７】
また、例えば、視機能検査装置であって、表示部と、制御部と、を有し、前記表示部は、    被験者の右目に提供する画像である右目用画像と、該被験者の左目に提供する画像である左目用画像とを表示し、前記右目から前記左目用画像を遮蔽し、前記左目から前記右目用画像を遮蔽する遮蔽部を有し、前記制御部は、前記右目用画像及び前記左目用画像から成る第１の視標と、第２の視標とを表示し、前記第１の視標の位置を固定し、前記第２の視標を、前記被験者の視線方向に対して奥から手前に又は手前から奥に移動するように、前記表示部に表示することを特徴とする。
【発明の効果】
【０００８】
本発明の技術によれば、複数の要素を総合した視機能、特に、深視力を含む視機能を検査することができる。
【図面の簡単な説明】
【０００９】
【図１】本実施形態において、視機能検査のために表示する視標を説明する斜視図である。
【図２】同実施形態において、表示する視標について説明するための図である。
【図３】同実施形態において、検査システムの構成例を示す図である。
【図４】同実施形態において、第１の視標情報の一例を示す図である。
【図５】同実施形態において、第２の視標情報の一例を示す図である。
【図６】同実施形態において、検査装置の動作例を説明する図である。
【図７】同実施形態において、表示する画面例を説明する図である。
【図８】同実施形態において、視機能の程度について説明する図である。
【発明を実施するための形態】
【００１０】
以下、本発明の一実施形態を、図面を参照して詳細に説明する。なお、以下では、説明の簡略のために、同じものに対しては同じ符号を付与し、説明を省略する。
【００１１】
本実施形態の検査装置は、以下で詳細に説明するように、深視力を含む視機能を検査する。まず、視機能を検査するために表示する視標について説明する。
【００１２】
本実施形態では、２つの検査について説明し、以下、それぞれを第１の検査、第２の検査という。図１は、視機能検査のために表示する視標を説明する図である。図１（ａ）は、第１の検査のために表示する視標の例である。図１（ｂ）は、第２の検査のために表示する視標の例である。なお、図１では、被験者の視線方向をＺ方向とする。また、図１では、Ｚ方向に垂直であり、且つ、被験者から見て水平方向をＸ方向とする。また、図１では、Ｚ方向に垂直であり、且つ、被験者から見て垂直方向をＹ方向とする。また、軸１１はＺ方向と平行な線である。
【００１３】
まず、第１の検査について説明する。図１（ａ）において、視標１０１は、軸１１上を奥から被験者１側に向かって、又は、被験者１から奥に向かって移動するように表示される。視標１０１の形状は特に限定するものではないが、本実施形態では、円環全体の直径：円弧の幅：円環開口部の開口幅の寸法比が５：１：１であるランドルト環を立体的にしたものとする。
【００１４】
視標１０１の一例について詳細に説明する。図２は、視標１０１の形状の一例を説明するための図である。
【００１５】
図２（ａ）は、ＸＹ面からの視標１０１の形状の一例を示す。図２（ｂ）は、ＸＺ面からの視標１０１の形状の一例を示す。
【００１６】
図２（ａ）において、断面２０１は、同図視標１０１の断面Ａの一例であり、断面２１１−２１４の各々は、同図視標１０１の断面Ｂ１、断面Ｂ２、断面Ｂ３、断面Ｂ４の各々の一例である。なお、断面Ｂ１は、同図視標１０１のランドルト環の円環開口部の端部である。断面２０１、断面２１４に一例を示すように、第１の検査で表示する視標１０１は、断面が円形のランドルト環であるが、円環開口部においては、断面２１１に一例を示すように、端部において線形となる。そのため、円環開口部近傍の断面は、断面２１２、２１３等に一例を示すように楕円となり、円環開口部の端部に近づくにつれ、断面の楕円の短径が短くなる。
【００１７】
このように、円環開口部における視標１０１の厚み、即ち立体感を無くし、面とすることにより、総合的な視機能を検査することが可能となる。
【００１８】
図２（ｂ）に一例を示すように、視標１０１はＸＹ面に対し角度Θを成す。この角度Θは任意でよい。これにより、視標１０１の円環開口部が、被験者１に対して手前側又は奥側に傾いて認識可能となる。なお、上記のように、第１の検査においては、視標１０１は軸１１上を奥から被験者１側に向かって、又は、被験者１から奥に向かって移動するが、この移動の間は、上記角度Θは一定であるものとする。
【００１９】
図２（ａ）に戻る。上記のように、視標１０１の円環開口部の端部は線形である。この線形の長さｌは特に限定するものではないが、例えば、被験者１が見た時に、視標１０１の他の部位、例えば断面２０１、断面２１４等の直径と同じ長さとなることが考えられる。この場合、寸法等による円環開口部のヒントを被験者１に与えないという利点がある。そのような長さは、例えば断面２０１、断面２１４等の直径をＬとすると、「ｌ=Ｌ／cosΘ」等として得ることができる。この場合においては、当然ながら、例えば上記断面Ｂ２、断面Ｂ３のような、円環開口部近傍における寸法も、被験者１が見た時に視標１０１の他の部位と同じとなるようにすることが好ましい。
【００２０】
なお、上記視標１０１は、円環開口部の向きが左である例を図示しているが、開口部の向きは任意でよく、左、右、上、下、斜め等でもよい。また、視標１０１の傾き（角度Θ）も任意である。ただし、視標１０１の円環開口部が被験者１に対して手前側又は奥側に傾いていること、換言すれば、視標１０１の円環開口部に形成される面がＸＹ面に対して角度を成しているとよい。また、視標１０１の形状をランドルト環であるものとしたが、これに限るわけではなく、例えば、ひらがな、カタカナ、数字、アルファベットや絵等の任意の形状でよい。ただし、例えば上記ランドルト環の円環開口部のように、所定の視距離において所定視角に応じた寸法となる特徴的な形状を有すると、被験者の視角、即ち視力を検査可能となる。また、ここでは、視標１０１は単一色で塗りつぶすものとし、陰影等による立体感を表現しないものとするが、これに限られるわけではない。視標１０１の色、テスクチャ等は任意であるが、背景と混同しないような色、テクスチャ等であることが好ましい。また、上記視標１０１は、奥から手前に、又は、手前から奥に移動するものとしたが、いずれかに限るわけではなく、これらの組み合わせでもよい。
【００２１】
図１に戻り、上記第２の検査について説明する。図１（ｂ）に一例を示すように、第２の検査では、視標１１１及び視標１１２を表示する。このうち、視標１１１は固定であり、視標１１２のみ、軸１１上を奥から被験者１側に向かって、又は、被験者１から奥に向かって移動するように表示される。
【００２２】
視標１１１及び視標１１２の形状は同じ形状の立体であればよく、特に限定するものではないが、本実施形態では、円筒状であるものとする。
【００２３】
ここでは、視標１１１及び視標１１２は陰影等による立体感を表現しないものとするが、これに限られるわけではない。また、視標１１１及び視標１１２の色、テスクチャ等は任意である。例えば、視標１１１及び視標１１２の各々が、微細且つ不規則なテクスチャを有することで、両眼視以外による遠近知覚の要素を排除することも可能である。この場合、視標１１１と視標１１２とのテクスチャは同じでもよく、異なっていてもよい。また、視標１１１及び視標１１２の各々のテクスチャは静的なものではなく、不規則に模様等が変化する動的なものであってもよい。また、行う検査により、色やテクスチャ等を変更してもよい。この場合、色やテクスチャ等により検査の難易度を変更することが可能となる。ただし、視標１１１及び視標１１２の色及びテクスチャは、例えば視標色と背景色との組み合わせが白と黒など、背景と混同しないような色、テクスチャ等であることが好ましい。
【００２４】
また、図１（ｂ）の距離Ｍに示すような、視標１１１から視標１１２間のＸ方向の距離は任意でよい。行う検査により、距離Ｍを変更してもよい。また、また、図１（ｂ）の距離Ｎに示すような、被験者１から視標１１１までの軸１１方向の距離は任意でよい。行う検査により、上記距離Ｎを変更してもよい。
【００２５】
なお、本実施形態では、固定されている視標１１１の数は１つであるものとするが、その数は任意であり、複数であってもよい。固定されている視標１１１の数が複数の場合、複数の視標１１１の位置関係は任意でよく、また、複数の視標１１１の各々と、移動する視標１１２との位置関係は任意でよい。また、移動する視標１１２の数は１つであるものとするが、その数は任意であり、複数であってもよい。移動する視標１１２の数が複数の場合、複数の視標１１２の位置関係は任意でよく、また、複数の視標１１２の各々と、固定されている視標１１１との位置関係は任意でよい。また、本実施形態では、視標１１２が、軸１１上を奥から被験者１側に向かって、又は、被験者１から奥に向かって移動するようにしているが、これに限られるわけではなく、これらの組み合わせでもよい。また、視標１１２の移動は、一定方向に一定速度で移動するように表示してもよく、被験者１等が移動速度・方向等を任意に決定できるようにしてもよい。
【００２６】
上記のような視標１０１、視標１１１及び視標１１２を用いて、例えば以下のような検査を行う。
【００２７】
上記第１の検査では、被験者１が、軸１１上を奥から手前に又は手前から奥に移動するように表示される視標１０１の円環開口部の方向が、軸１１上のどの位置で認識できたかにより、被験者１の視機能を判定する。以下、このときの視標１０１の位置を位置Ｐ１として説明する。このときの視機能を示す数等は任意でよいが、例えば、第１の検査では、以下で一例を説明する第１の数、第２の数、第３の数、第４の数等が考えられる。
【００２８】
第１の数としては、例えば、位置Ｐ１における視標１０１の円環開口部の視角や、その視角で示される視力等がある。この視力は、知られているように、「視力＝１/視角」で得ることができる。
【００２９】
また、第２の数として、例えば、視標１０１の傾き（上記角度Θ）や、この角度により得られる新たな数等がある。
【００３０】
また、第３の数として、例えば、円環開口部の方向が異なる複数の視標１０１を表示して、各視標１０１における位置Ｐ１が被験者１から最も近い及び/又は遠いものを取得し、取得した視標１０１の円環開口部の方向等により定まる数（角度）等がある。
【００３１】
また、第４の数として、例えば、これらの組み合わせにより得られる新たな数等がある。
【００３２】
一方、第２の検査では、被験者１が、移動する視標１１２が、固定の視標１１１と並んだと認識できる位置により、視機能を検査する。以下、このときの視標１１２の位置を位置Ｐ２として説明する。このときの視機能を示す数等は任意でよいが、例えば、第２の検査では、以下で一例を説明する第５の数、第６の数、第７の数、第８の数等が考えられる。
【００３３】
第５の数として、例えば、図１（ｂ）の距離ｄに示すような、視標１１２の位置Ｐ２と、視標１１１の実際の位置とのＺ方向の距離等に応じた数である。
【００３４】
また、第６の数として、例えば、視標１１１及び視標１１２の各々の色やテクスチャ等に応じた数や区分等である。
【００３５】
また、第７の数として、例えば、視標１１２から視標１１１間のＸ方向の距離（上記距離Ｍ）、又は、被験者１から視標１１１までの軸１１方向の距離（上記距離Ｎ）等に応じた数や区分等である。
【００３６】
また、第８の数として、例えば、これらの組み合わせにより得られる新たな数等がある。
【００３７】
次に、上記視標１０１、視標１１１及び視標１１２等により視機能を検査する検査装置について説明する。なお、知られているように、立体を知覚する要素として、両眼視した際の右目及び左目の視差（両眼視差）がある。本実施形態では、この両眼視差による視機能を検査するものとする。
【００３８】
図３は、検査システムの構成例を示す図である。図３において、検査システム３００は、表示部３０１、出力部３０３、入力部３０４、出力部３０５、検査装置３０６等を有する。
【００３９】
表示部３０１及び出力部３０３は被験者等の用いるものである。表示部３０１は、上記視標１０１、視標１１１及び視標１１２等を表示するものである。
【００４０】
上記のように、本実施形態では、両眼視差による視機能を検査する。そのために、表示部３０１は、上記視標１０１、視標１１１、視標１１２の各々を表示等するための右目用画像及び左目用画像の各々を、被験者１の右目及び左目の各々に提供可能な構成を有する。右目用画像及び左目用画像の各々を被験者１の右目及び左目の各々に提供するための技術は任意でよいが、例えば、レンチキュラーレンズ方式、パララックスバリア方式、偏光フィルタ方式、サイドバイサイド方式、左右の映像を時間で分割するフレームシーケンシャル方式等がある。これらの技術については知られているので、詳細な説明は省略する。
【００４１】
本実施形態では、表示部３０１は遮蔽部３０２を有する。遮蔽部３０２は、被験者１の左目から右目用画像を、被験者１の右目から左目用画像を遮蔽する。この遮蔽部３０２を実現する技術としては特に限定するものではないが、例えば、レンチキュラーレンズ、パララックスバリア、偏光フィルタ、任意の構造物等がある。
【００４２】
出力部３０３は、検査結果を出力するものであり、例えばディスプレイ装置、プリンタ、スピーカ等である。
【００４３】
入力部３０４及び出力部３０５は検査者等の用いるものである。入力部３０４は、検査の指示等を入力するものであり、例えばボタン、マイクロフォン等の集音装置、キーボード、マウス等である。出力部３０５は、被験者の入力結果や検査結果等を出力するものであり、例えばディスプレイ装置、プリンタ、スピーカ等である。
【００４４】
検査装置３０６は、記憶部３１１、制御部３１２、インターフェース部３１３等を有する。記憶部３１１、制御部３１２、インターフェース部３１３等は内部バス等で接続されている。
【００４５】
記憶部３１１は第１の視標情報３２１、第２の視標情報３２２等を記憶する。制御部３１２は、例えば任意の演算装置等であり、検査部３３１、判定部３３２、出力処理部３３３等を有する。検査部３３１、判定部３３２、出力処理部３３３等を実現する技術は任意でよいが、例えば、記憶部３１１等に記憶されているプログラム（図示略）等を実行することにより実現される。インターフェース部３１３には、表示部３０１、出力部３０３、入力部３０４、出力部３０５等が接続される。
【００４６】
次に、第１の視標情報３２１、第２の視標情報３２２等の一例について説明する。
【００４７】
図４は、第１の視標情報３２１の一例を示す図である。第１の視標情報３２１は、上記第１の検査にて表示する視標１０１に関する情報である。
【００４８】
図４において、第１の視標情報３２１は、項番４０１、角度４０２、方向４０３、画像４０４等を互いに対応付けて有する。項番４０１は、視標１０１の識別情報である。角度４０２は、対応する項番４０１で示される視標１０１の傾きであり、上記図２（ｂ）で一例を説明した角度Θに該当する。方向４０３は、対応する項番４０１で示される視標１０１の、円環開口部の方向である。画像４０４は、対応する項番４０１で示される視標１０１の表示画像を特定する情報であり、例えば、視標１０１を表示するための表示画像データそのものや、表示画像データの格納場所等である。
【００４９】
図５は、第２の視標情報３２２の一例を示す図である。第２の視標情報３２２は、上記第２の検査にて表示する視標１１１及び視標１１２に関する情報である。
【００５０】
図５において、第２の視標情報３２２は、項番５０１、区分５０２、Ｒ画像５０３、Ｔ画像５０４等を互いに対応付けて有する。項番５０１は、視標１１１及び視標１１２の組み合わせの識別情報である。区分５０２は、対応する項番５０１で示される視標１１１及び視標１１２の組み合わせにより定まる区分である。この区分は、例えば、視標１１１及び視標１１２の各々の色やテクスチャ、視標１１１から視標１１２間のＸ方向の距離（上記距離Ｍ）、被験者１から視標１１１までの軸１１方向の距離（上記距離Ｎ）のうち１つを示す情報、又は、これらの任意の組み合わせ等を含む。Ｒ画像５０３は、対応する項番５０１で示される視標１１１及び視標１１２の組み合わせのうち、視標１１１の表示画像を特定する情報である。この視標１１１の表示画像は、例えば、対応する区分５０２で特定される視標１１１の色やテクスチャ、視標１１１の表示空間上の位置等を満たすものである。Ｔ画像５０４は、対応する項番５０１で示される視標１１１及び視標１１２の組み合わせのうち、視標１１２の表示画像を特定する情報である。この視標１１２の表示画像は、例えば、対応する区分５０２で特定される視標１１２の色やテクスチャ、視標１１２の表示空間上の位置等を満たすものである。Ｒ画像５０３及びＴ画像５０４の各々は、例えば、視標１１１及び視標１１２を表示するための表示画像データそのものや、表示画像データの格納場所等である。
【００５１】
なお、上記のように、本実施形態では、両眼視差による視機能を検査する。従って、上記視標１０１、視標１１１及び視標１１２等は、被験者１の右目に提供する画像である右目用画像と、被験者１の左目に提供する画像である左目用画像とにより表示される。即ち、第１の視標情報３２１の画像４０４、第２の視標情報３２２のＲ画像５０３及びＴ画像５０４の各々は、視標１０１、視標１１１及び視標１１２の各々の右目用画像及び左目用画像を特定する情報であることはいうまでもない。このような右目用画像及び左目用画像は、右目用画像及び左目用画像の各々を被験者１の右目及び左目の各々に提供するための技術、即ち、レンチキュラーレンズ方式、パララックスバリア方式、偏光フィルタ方式、サイドバイサイド方式、左右の映像を時間で分割するフレームシーケンシャル方式等の方式によって異なり、その詳細については知られているので説明は省略する。
【００５２】
次に、検査装置３０６の動作例を説明する。
【００５３】
図６は、検査装置３０６の動作例を説明する図である。図６において、出力部３０３又は入力部３０４等から上記第１の検査及び上記第２の検査のうち少なくとも一方を実行する情報が入力等されると、検査部３３１は、第１の視標情報３２１又は第２の視標情報３２２等に基づいて、視標１０１、又は、視標１１１及び視標１１２等を表示するための情報を取得し、取得した情報に基づいて、視標１０１、又は、視標１１１及び視標１１２等を表示部３０１に表示するように制御する（Ｓ６０１）。
【００５４】
具体的には、例えば、上記第１の検査を行う場合、検査部３３１は、第１の視標情報３２１を参照し、何れかの項番４０１に対応する画像４０４に基づいて取得した画像を表示部３０１に出力するように制御する。
【００５５】
また、例えば、上記第２の検査を行う場合、検査部３３１は、第２の視標情報３２２を参照し、何れかの項番５０１に対応するＲ画像５０３及びＴ画像５０４に基づいて取得した画像を表示部３０１に出力するように制御する。
【００５６】
これにより、図１を参照して上記したように、第１の検査の場合は、表示部３０１に、視標１０１が、軸１１上を奥から被験者１側に向かって、及び/又は、被験者１から奥に向かって移動するように表示される。また、第２の検査の場合は、表示部３０１に、視標１１１が固定され、視標１１２のみ、軸１１上を奥から被験者１側に向かって、及び/又は、被験者１から奥に向かって移動するように表示される。
【００５７】
第１の検査の場合、視標１０１の円環開口部の方向を被験者１が認識できたタイミングで、被験者１自身が出力部３０３等を用いて、又は、検査者が入力部３０４等を用いて、認識した円環開口部の方向を示す情報等を、検査装置３６０に入力する。また、第２の検査の場合は、移動する視標１１２が固定の視標１１１と並んだと被験者１が認識したタイミングで、被験者１自身が出力部３０３等を用いて、又は、検査者が入力部３０４等を用いて、認識したことを示す情報等を、検査装置３６０に入力する。
【００５８】
判定部３３２は、被験者１が出力部３０３等を用いて、又は、検査者が入力部３０４等を用いて入力された情報と第１の視標情報３２１又は第２の視標情報３２２等とに基づいて、上記検査の結果判定を行う（Ｓ６０２）。
【００５９】
具体的には、例えば、上記第１の検査の場合、判定部３３２は、上記Ｓ６０１で参照した項番４０１に対応する方向４０３と、出力部３０３又は入力部３０４等から入力された情報の示す方向とが一致するか否か判定する。この判定の結果、一致する場合、判定部３３２は、上記Ｓ６０１で参照した項番４０１に対応する角度４０２、方向４０３、視標１０１の位置Ｐ１等に基づき、上記第１の数から第４の数のうち少なくとも１つを取得する。
【００６０】
なお、判定部３３２が、上記位置Ｐ１を取得する技術は特に限定しない。例えば、判定部３３２は、出力部３０３又は入力部３０４等から情報が入力されたタイミングにおける、表示部３０１に表示されていた動画像データのフレーム番号、再生開始からの経過時間、又は表示画像データにあらかじめ付与等されている他のメタデータ等により、位置Ｐ１等を取得する。判定部３３２は、この位置Ｐ１に基づいて、その時点での視標１０１の円環開口部の視角等を取得する。あるいは、判定部３３２が、表示画像データにあらかじめ付与等されている他のメタデータ等から直接、上記位置Ｐ１又は円環開口部の視角等を取得してもよい。
【００６１】
なお、上記第３の数を取得する場合には、検査部３３１及び判定部３３２は、上記Ｓ６０１及びＳ６０２の処理を複数回行うとよい。
【００６２】
また、例えば、上記第２の検査の場合は、上記Ｓ６０１で参照した項番５０１に対応する区分５０２等に基づき、上記第５の数から第８の数のうち少なくとも１つを取得する。なお、視標１１２の上記位置Ｐ２と視標１１１の実際の位置とのＺ方向における距離（上記距離ｄ）を取得する技術は特に限定しない。例えば、判定部３３２は、出力部３０３又は入力部３０４等から情報が入力されたタイミングにおける、表示部３０１に表示されていた動画像データのフレーム番号、再生開始からの経過時間、表示画像データにあらかじめ付与等されている他のメタデータ、視標１１２の移動速度及び移動方向等により、上記距離ｄ等を取得する。あるいは、判定部３３２が、表示画像データにあらかじめ付与等されている他のメタデータ等から直接、上記距離ｄ等を取得してもよい。
【００６３】
出力処理部３３３は、上記Ｓ６０２で取得された結果を出力する（Ｓ６０３）。出力処理部３３３が、被験者の視機能を示す情報を画面に表示した一例を図７に示す。図７において、画面７０１は、出力処理部３３３が表示部３０１及び/又は出力部３０５に出力した画面の例である。この画面７０１は、記憶部３１１等に記憶されている表示画面用データ等により表示される。
【００６４】
なお、検査装置３０６の動作は上記に限るわけではなく、例えば、上記Ｓ６０１、Ｓ６０２の処理により、被験者１が、所定程度の視機能を有すると判定できた場合には、上記Ｓ６０３で一例を説明した結果出力の前に、その程度より高度の視機能を有しているか否かのための検査を行ってもよい。また、これとは逆に、被験者１が、所定程度の視機能を有していないと判定できた場合には、上記Ｓ６０３で一例を説明した結果出力の前に、その程度より低度の視機能を有しているか否かの検査を行ってもよい。
【００６５】
視機能の程度については、例えば以下のように考えられる。
【００６６】
まず、第１の検査について説明する。図８は、第１の検査において、視標１０１の視角と、軸１１上における視標１０１の位置との関係を示した図である。グラフ８０１において、縦軸が視角であり、横軸が軸１１上における視標１０１の位置を示す。なお、グラフ８０１の横軸は、右にあるものほど、視標１０１が被験者１に近いことを示しているものとする。
【００６７】
線分８１１は、ＸＹ面に対し視標１０１が成す角度（上記Θ）がα１を成しているときの、視標１０１の円環開口部の視角と位置との関係の一例を示す。また、線分８１２は、上記Θがα２を成しているときの、視標１０１の円環開口部の視角と位置との関係の一例を示す。ただし、α１＜α２であり、ここでは、Θ＝α２である視標１０１のほうが、被験者１からみて、より奥側に傾いているものとする。
【００６８】
図８に一例を示すように、視標１０１が被験者１に近いものほど、円環開口部の視角は大きくなる。また、図８に一例を示すように、視標１０１が、軸１１上において同じ場所に位置する場合でも、視標１０１の傾きが、被験者１からみてより奥側に傾いているものほど、視標１０１の円環開口部の視角は小さくなる。従って、上記第１の検査の場合は、視機能の程度を、視標１０１の上記位置Ｐ１と、ＸＹ面に対し視標１０１が成す角度（上記角度Θ）との組み合わせにより判定することが可能となる。
【００６９】
従って、上記第１の検査を行う場合、判定部３３２は、上記Ｓ６０１で参照した項番４０１に対応する角度４０２と、視標１０１の上記位置Ｐ１等とに基づき、視機能の程度を判定する。この角度４０２と、位置Ｐ１との各々を取得する動作例は上記と同じである。
【００７０】
次に、第２の検査について説明する。第２の検査の場合、上記のように、検査部３３１は、第２の視標情報３２２を参照し、何れかの項番５０１に対応するＲ画像５０３及びＴ画像５０４に基づいて取得した画像を表示部３０１に出力する。このＲ画像５０３及びＴ画像５０４は、上記のように、例えば、対応する区分５０２で特定する視標１１１及び視標１１２の各々の色やテクスチャ、視標１１１及び視標１１２の各々の表示空間上の位置等を満たすものである。従って、上記第２の検査の場合は、視機能の程度を、この区分５０２、及び、視標１１２の上記位置Ｐ２と視標１１１の実際の位置とのＺ方向における距離（上記距離ｄ）の組み合わせにより判定することが可能となる。
【００７１】
従って、上記第２の検査を行う場合、判定部３３２は、上記Ｓ６０１で参照した項番５０１に対応する区分５０２と、上記距離ｄ等とに基づき、視機能の程度を判定する。この区分５０２と、上記距離ｄとの各々を取得する動作例は上記と同じである。
【００７２】
以上、この発明の実施形態を、図面を参照して詳述してきたが、具体的な構成はこの実施形態に限られるものではなく、この発明の要旨を逸脱しない範囲の設計変更等も含まれる。
【００７３】
具体的には、例えば、上記実施形態では、表示部３０１は遮蔽部３０２を有するものとしたが、これに限られるわけではなく、被験者１の用いるメガネ等により、上記遮蔽部３０２の機能を実現してもよい。即ち、必ずしも表示部３０１に遮蔽部３０２の機能を持たせなくてもよく、両眼視差による立体視が可能な構成であればよい。
【符号の説明】
【００７４】
１： 被験者、１０１：視標、１１１：視標、１１２：視標、３００：検査システム、３０１：表示部、３０２：遮蔽部、３０３：出力部、３０４：入力部、３０５：出力部、３０６：検査装置、３２１：第１の視標情報、３２２：第２の視標情報
【図１】
2013208190.tif 000003
【図２】
2013208190.tif 000004
【図３】
2013208190.tif 000005
【図４】
2013208190.tif 000006
【図５】
2013208190.tif 000007
【図６】
2013208190.tif 000008
【図７】
2013208190.tif 000009
【図８】
2013208190.tif 000010